(57)【特許請求の範囲】
【請求項１】
所定のモジュール寸法を有し、予めフランジのモジュールに対応した位置にボルト穴が形成されたＨ形鋼からなる梁と外壁パネルとで構成された鉄骨造建物の増築工事に於いて既存の梁を利用して外壁を増設する増設部構造であって、
外壁の増設ラインに沿って位置する梁のフランジに形成されたボルト穴を利用して取り付けた複数の取付部材と、
外壁の増設ラインに沿って配置される増設外壁パネルの面外方向への移動を規制し且つ面内方向への摺動を案内する案内片を有し、前記複数の取付部材に於ける既存床又は既存外壁パネルから突出した部位に取り付けられた定規金物と、
前記定規金物に移動制限部材によって面外方向への移動が制限されて取り付けられた外壁パネルと、
からなることを特徴とする増設部構造。
【請求項２】
増設部構造が既存床面の上部に配置される増設外壁パネルの下部構造であり、前記取付部材が床パネルを支持する梁の上フランジに取り付けられた片持ち部材として構成され、且つ前記定規金物が案内片に加えて増設外壁パネルを載置する載置片を有し、且つ該載置片が既存の床面よりも高い位置に配置されて前記片持ち部材に取り付けられていることを特徴とする請求項１に記載した増設部構造。
【請求項３】
増設部構造が梁から起立した既存外壁パネルの上端面の上部に配置される増設外壁パネルの下部構造であり、前記取付部材が下端側が下階の既存外壁パネルを支持する梁の上フランジに取り付けられると共に上端が上方に配置された上部梁の下フランジに取り付けられた両端支持部材として構成され、且つ前記定規金物が案内片に加えて増設外壁パネルを載置する載置片を有し、且つ該載置片が増設外壁パネルの天端面に沿って配置されて前記両端支持部材に取り付けられていることを特徴とする請求項１に記載した増設部構造。
【請求項４】
増設部構造が上部梁から垂下された既存外壁パネルの下端面の下部に配置される増設外壁パネルの上部構造であり、前記取付部材が上端側が垂下支持された既存外壁パネルを支持する上部梁の下フランジに取り付けられて垂下する片持ち部材として構成され、且つ前記定規金物の案内片が前記上部梁から垂下された既存外壁パネルの屋内側の面と略平行に且つ既存外壁パネルの下端面よりも下側に配置されて前記上部梁から垂下された片持ち部材に取り付けられていることを特徴とする請求項１に記載した増設部構造。
【請求項５】
増設部構造が上部梁から垂下された既存外壁パネルの下端面の下部に配置される増設外壁パネルの上部構造であり、前記取付部材が上端側が垂下支持された既存外壁パネルを支持する上部梁の下フランジに取り付けられると共に下端側が下階の床面を支持する梁に取り付けられる両端支持部材として構成され、且つ前記定規金物の案内片が前記上部梁から垂下された既存外壁パネルの屋内側の面と略平行に且つ既存外壁パネルの下端面よりも下側に配置されて前記両端支持部材に取り付けられていることを特徴とする請求項１に記載した増設部構造。
【発明の詳細な説明】
【技術分野】
【０００１】
本発明は、鉄骨躯体を有する建物に於けるベランダや下屋に部屋を増築する際に、この部屋の外壁を構成する外壁パネルを躯体に取り付けるのに有利な増設部構造に関するものである。
【背景技術】
【０００２】
所謂工業化住宅等の、所定のモジュール寸法を有しＨ形鋼からなる梁や鋼製の柱の軸芯をモジュール線上に配置することによって躯体を構成し、軽量気泡コンクリートパネル（ＡＬＣパネル）やプレキャストコンクリートパネル（ＰＣパネル）等のコンクリート製の外壁パネル、或いは窯業系サイディングボードからなる外壁パネルを梁に取り付けた自重受け金物や定規金物等を介して取り付けて構成した鉄骨造建物が提供されている。
【０００３】
鉄骨造建物では、鉄筋コンクリート造を含む剛構造の建物に比較して、地震時の層間変形角が大きい。このため、外壁パネルによって外壁を構成する場合、躯体の水平変位によって外壁パネルの上下の固定部が破壊され外壁パネルが脱落することがないように、所謂ロッキング工法を採用して取り付けるのが一般的である。
【０００４】
ロッキング工法の一例を簡単に説明すると、外壁を構成する線に沿って上下に梁を通しておき、下方の梁には外壁パネルを載置して荷重を支持し且つ面外方向への移動を拘束すると共に面内方向への移動を許容する定規兼自重受け金物を、上方の梁には外壁パネルの上端側を面外方向への移動を拘束すると共に面内方向への移動を許容して取り付ける定規金物を夫々取り付け、更に、定規兼自重受け金物に外壁パネルを載置すると共に上端側を定規金物に対向させ、夫々面内方向への移動を許容して取り付ける。
【０００５】
このようなロッキング工法では、外壁パネルを配置すべき線に沿って上下に梁を連続的に配置すること、梁に沿わせて定規兼自重受け金物或いは定規金物等の対応する金物を連続的に配置すること、が必須である（例えば特許文献１、２参照）。
【０００６】
上記の如き鉄骨造建物において、階上部にロッジア（屋根付ベランダ）、ベランダ、下屋等の既存床面を有する外部空間が構成されることがある。そして、居住者の構成の変化や居住者の生活スタイルの変化等に対応するために、このような外部空間に、既存の外壁パネルを部分的に撤去した上で新たな外壁パネルや屋根などを付加して室内空間を拡張する増築工事が行われることがある。
【０００７】
上記した増築工事において外壁パネルを上記ロッキング工法によって増設する場合の従来の方法について説明する。先ず、躯体を構成する梁が上下の同じ位置に配置されている部位を選択して新たに増設する外壁の増設ラインとして設定する。そして、設定された増設ラインの周囲に存在する、既存の外壁パネルや既存の床パネルに於ける増設する外壁と干渉する部分を撤去し、且つ床パネルに施工されている防水シート、防水下地モルタル等を撤去することで梁を露出させる。その後、露出した梁に前述したと同様に、下方の梁に定規兼自重受け金物を、上方の梁に定規金物を配置し、これらの金物を利用して外壁パネルを取り付けることで、増設する外壁をロッキング工法を採用した外壁パネルによって構成する。
【０００８】
上記方法を採用するのは、外壁パネルを上記ロッキング工法を採用して取り付ける場合、外壁パネルが面内方向での移動に拘束するための金物（定規金物）が必要であること、前記金物は外壁に沿って連続して配置されていないと外壁パネルを取り付けたとき蛇行が生じる虞があること、外壁パネルとしてＡＬＣパネルを採用した場合、該ＡＬＣパネルが比較的脆弱であることから、既存の外壁パネルや床パネルに直接接続して固定支持することができないこと、等の理由によっている。
【０００９】
【特許文献１】実開昭５８−１８１８１０号公報
【特許文献２】特開平０１−１５８１３９号公報
【発明の開示】
【発明が解決しようとする課題】
【００１０】
鉄骨造建物に構成されている外部空間に外壁パネルを増設する際に上記方法を採用した場合、幾つかの解決すべき問題が存在している。
【００１１】
例えば、外壁パネルを面内方向への移動を許容して取り付ける定規金物が梁の直上や直下でなければ躯体に取り付けることができないので、外壁パネルを設置し得る増設ラインが上下共に梁が連続して存在する位置に制限されてしまうため、増築範囲の設定の自由度が低いという問題、或いは外壁パネルを増設すべきモジュール線に沿って梁も増設しなければならず、下階の内挿工事にもカラム極めて大掛かりな工事となるという問題もある。
【００１２】
また、梁に金物を取り付けるために、該梁を露出させる、周囲の障害物を取り除く、あるいは増築に伴って外壁を増設すべき位置にパラペット（下階の外壁パネルの突出部分）や垂れ壁が存在する場合に前記パラペットや垂れ壁の一部を解体撤去する、等の作業が必要となる。このために手間が掛かるという問題や、作業時の粉塵や騒音の発生により住人や近隣に迷惑が掛かるという問題がある。
【００１３】
さらに、外壁の増設位置に沿って床の防水層にも大幅に手を加えることになり、作業が天候の影響を受け易くなり工事が遅延する虞があるという問題もある。
【００１４】
本発明の目的は、既存床面を有する外部空間での増築工事における上記諸問題を可及的に低減し、増設ラインを設定する際の既存の梁の位置による制限を少なくして且つ既存の外壁パネルや床パネルに多くの手を加えることなく外壁パネルを増設することを実現した外壁パネルの増設部構造を提供することにある。
【課題を解決するための手段】
【００１５】
上記課題を解決するために本発明に係る第１の増設部構造は、所定のモジュール寸法を有し、予めフランジのモジュールに対応した位置にボルト穴が形成されたＨ形鋼からなる梁と外壁パネルとで構成された鉄骨造建物の増築工事に於いて既存の梁を利用して外壁を増設する増設部構造であって、外壁の増設ラインに沿って位置する梁のフランジに形成されたボルト穴を利用して取り付けた複数の取付部材と、外壁の増設ラインに沿って配置される増設外壁パネルの面外方向への移動を規制し且つ面内方向への摺動を案内する案内片を有し、前記複数の取付部材に於ける既存床又は既存外壁パネルから突出した部位に取り付けられた定規金物と、前記定規金物に移動制限部材によって面外方向への移動が制限されて取り付けられた外壁パネルと、からなるものである。
【００１６】
第２の増設部構造は上記第１の増設部構造に於いて、増設部構造が既存床面の上部に配置される増設外壁パネルの下部構造であり、前記取付部材が床パネルを支持する梁の上フランジに取り付けられた片持ち部材として構成され、且つ前記定規金物が案内片に加えて増設外壁パネルを載置する載置片を有し、且つ該載置片が既存の床面よりも高い位置に配置されて前記片持ち部材に取り付けられているものである。
【００１７】
また第３の増設部構造は上記第１の増設部構造に於いて、増設部構造が梁から起立した既存外壁パネルの上端面の上部に配置される増設外壁パネルの下部構造であり、前記取付部材が下端側が下階の既存外壁パネルを支持する梁の上フランジに取り付けられると共に上端が上方に配置された上部梁の下フランジに取り付けられた両端支持部材として構成され、且つ前記定規金物が案内片に加えて増設外壁パネルを載置する載置片を有し、且つ該載置片が増設外壁パネルの天端面に沿って配置されて前記両端支持部材に取り付けられているものである。
【００１８】
また第４の増設部構造は上記第１の増設部構造に於いて、増設部構造が上部梁から垂下された既存外壁パネルの下端面の下部に配置される増設外壁パネルの上部構造であり、前記取付部材が上端側が垂下支持された既存外壁パネルを支持する上部梁の下フランジに取り付けられて垂下する片持ち部材として構成され、且つ前記定規金物の案内片が前記上部梁から垂下された既存外壁パネルの屋内側の面と略平行に且つ既存外壁パネルの下端面よりも下側に配置されて前記上部梁から垂下された片持ち部材に取り付けられているものである。
【００１９】
また第５の増設部構造は上記第１の増設部構造に於いて、増設部構造が上部梁から垂下された既存外壁パネルの下端面の下部に配置される増設外壁パネルの上部構造であり、前記取付部材が上端側が垂下支持された既存外壁パネルを支持する上部梁の下フランジに取り付けられると共に下端側が下階の床面を支持する梁に取り付けられる両端支持部材として構成され、且つ前記定規金物の案内片が前記上部梁から垂下された既存外壁パネルの屋内側の面と略平行に且つ既存外壁パネルの下端面よりも下側に配置されて前記両端支持部材に取り付けられているものである。
【発明の効果】
【００２０】
本発明に係る第１の増設部構造では、定規金物が外壁パネルの面外方向への移動を規制し且つ面内方向への摺動を案内する案内片を有しており、該定規金物に対し外壁パネルを移動制限部材を利用して面外方向への移動を制限して取り付けるので、取り付けられた外壁パネルは、案内片に沿って面内方向にのみ移動することが可能となる。従って、増築部の外壁パネルにおいてもロッキング工法を容易に実現し、建物の耐震安全性を維持することができる。
【００２１】
また、取付部材を介して定規金物を梁に取り付けるので、線状の定規金物と梁との接続が点状になる。従って、増築しようとする部屋の外壁が床面を支持する複数の梁を跨ぐようにして設定されていれば、これらの梁のフランジに形成されたボルト穴を利用して定規金物を取り付けることができる。このため、定規金物の方向と梁の方向とが一致する必要がなくなり、定規金物の設置位置（即ち外壁パネルの増設位置）の選択の自由度が向上して居住者の満足度を向上させることができる。
【００２２】
また、取付部材が増設ラインに沿って点状に配置されて梁に取り付けられるので、定規金物を配置すべき梁のボルト穴周囲の床面のみを穿孔すれば良く、取付部材の既存床や既存外壁パネルから突出した部位に定規金物を取り付けることで、既存床や既存外壁パネルと干渉することなく定規金物を設置することができる。このため、工事が簡単で手間が掛かることがなく、作業時の粉塵や騒音の発生等の迷惑を掛けることも少ない。
【００２３】
さらに、大幅な防水層の撤去も必要がないので、作業が天候の影響を受け難くなり、工事の遅延が発生し難い。
【００２４】
本発明に係る第２の増設部構造では、上記した第１の増設構造を既存床の上部に配置される増設外壁パネルの下部構造とし、且つ定規金物に外壁パネルを載置する載置片を加えたので、ベランダや下屋の既存床の上部に定規金物を取り付けて増設外壁パネルを設置してロッキング工法を実現することができる。
【００２５】
また本発明に係る第３の増設部構造では、上記した第１の増設部構造を梁から起立した既存外壁パネルの上端面の上部に配置される増設外壁パネルの下部構造とし、且つ定規金物に外壁パネルを載置する載置片を加えたので、ベランダや屋上のパラペットを構成する既存外壁パネルの上端面の上方に縦方向に連続させて増設外壁パネルを設置してロッキング工法を実現することができる。
【００２６】
また本発明に係る第４の増設部構造では、上記した第１の増設部構造を上部梁から垂下された既存外壁パネルの下端面の下部に配置される増設外壁パネルの上部構造とすることによって、上部梁から垂下させた取付部材を利用して、ロッジアや下屋の垂れ壁を構成する外壁パネルの下端面の下方に縦方向に連続させた外壁パネルを設置することができる。
【００２７】
また本発明に係る第５の増設部構造では、上記した第１の増設部構造を上部梁から垂下された既存外壁パネルの下端面の下部に配置される増設外壁パネルの上部構造とすることによって、上端部分が上部梁に且つ下端部分が床面を支持する梁に取り付けられた取付部材を利用して、ロッジアや下屋の垂れ壁を構成する外壁パネルの下端面の下方に縦方向に連続させた外壁パネルを設置することができる。
【発明を実施するための最良の形態】
【００２８】
以下、本発明に係る増設部構造を実施するための最良の形態について説明する。本発明の増設部構造は、建物に設定された所定のモジュール寸法に従っており、フランジのモジュール位置に予めボルト穴が形成されているＨ形鋼からなる梁を有し、この梁にコンクリート製の外壁パネルを取り付けることで構成された鉄骨造の建物を対象としている。そして、前記建物に於ける例えばロッジア（柱、梁で構成された架構体の内部に外壁線が入り込んで構成された、屋根付の架構体内部のベランダ）や下屋の一部又は全部を外壁で仕切って部屋として利用するような増築を行う際に、梁の配置に「あまり」制約を受けずにロッキング工法を採用して増設外壁パネルを取り付けることを実現した増設部構造である。
【００２９】
特に、本発明では、ロッジアや下屋に増築するための増設外壁パネルを設置する際に、増設すべき外壁線上にパラペットや垂れ壁を構成する既存外壁パネルが存在する場合、これらの既存外壁パネルを取り込んで新たな外壁を構成している。即ち、外壁線上にパラペットが存在する場合には、該パラペットを構成する既存外壁パネルの上端部に縦方向に連続させて増設外壁パネルを取り付けることで、また外壁線上に垂れ壁が存在する場合には、該垂れ壁を構成する既存外壁パネルの下端部に縦方向に連続させて増設外壁パネルを取り付けることで増築部の外壁を構成している。
【００３０】
本発明に於いて、鉄骨造の建物には予めモジュール寸法が設定されており、梁を構成するＨ形鋼の上下フランジに於けるモジュールと対応する位置には予めボルト穴が形成されている。
【００３１】
また外壁パネルとしては、ＡＬＣパネルやＰＣパネル等のパネルがあり、夫々既存外壁パネルの種類に対応させて選択的に採用することが可能である。そして増築部分の外壁は選択された外壁パネルによって構成される。
【００３２】
取付部材は梁のフランジに形成されたボルト穴を利用して該梁に取り付けられ、且つ所定位置に定規金物を取り付けるためのものである。本発明に於いて、取付部材は、梁に取り付けられたとき、少なくとも一部が既存床の床面や既存外壁の外壁面から突出し得るように構成されており、この突出部位に定規金物を取り付けることによって、既存床や既存外壁パネルの存在に関わらず増設外壁パネルを取り付けることを可能としている。
【００３３】
取付部材の形状や寸法は一義的に設定されるものではなく、増築すべき部位に於ける既存床や、既存外壁の構造に応じて最適な形状が設定される。即ち、本発明では、増築部に対応する増設ラインは建物のモジュールに対応した位置に設定される。
【００３４】
例えば、ロッジア又は下屋に部屋を増築しようとする場合、外壁を増築する部分の構造としては、既存床と既存天井との間に既存の構造物が存在しない場合、下部にパラペットを構成する既存外壁パネルが存在している場合、上部に垂れ壁を構成する既存外壁パネルが存在している場合、下部にパラペットが上部に垂れ壁を構成する既存外壁パネルが存在している場合、等がある。
【００３５】
このため、取付部材の形状は、前記した既存部分の構造に対応して増設外壁パネルを取り付けるための定規金物を取り付けるのに最適な形状を有することが好ましい。従って、取付部材の形状としては、一端が既存床を支持する下側の梁又は屋根を支持する上側の梁に取り付けられた片持ち形状と、下端が下側の梁に上端が上側の梁に取り付けられた両端支持形状とがある。
【００３６】
上記の如く、取付部材は束状或いは柱状の形状を持って構成される。このため、取付部材を梁に取り付ける際には、取り付けるべき梁の上部にある既存床、或いは梁の下部にある既存天井を局部的に除去することが好ましい。このように、既存床や既存天井を局部的に除去して取付部材を梁に取り付けることで、増築工事に要する手間を削減すると共に天候の影響を可及的に排除することが可能となる。
【００３７】
本発明に於ける定規金物は、増設外壁パネルを移動規制部材を利用して取り付けることで、増設外壁パネルのロッキングを実現するものである。このため、定規金物は、増設外壁パネルの面外方向への移動を規制し且つ面内方向への摺動を案内する案内片を有している。定規金物は案内片を有していれば良く、具体的な形状な寸法を限定するものではない。このような案内片を有する定規金物としては、フラットバーを利用して構成することが可能である。しかし、取付部材に対する取付方式や、剛性を考慮すると山形鋼のような構造材を利用することが好ましい。
【００３８】
上記定規金物を、増設外壁パネルの下端側又は上端側、或いは上下両端側に配置して取付部材に取り付けた後、この定規金物に増設外壁パネルを取り付けることで、該増設外壁パネルのロッキングを許容した外壁を構成することが可能である。
【００３９】
特に、増設外壁パネルの下端側に配置される定規金物は、案内片に加えて増設外壁パネルを載置する載置片を有することが好ましい。この定規金物では、増設外壁パネルの下端部を載置片に載置して支持することが可能となり、増設外壁パネルの重量を他の部材、例えば既存床を構成する床材、或いはパラペットを構成する既存外壁パネルに作用させることなく建物の躯体に伝えることが可能となる。
【００４０】
定規金物は取付部材を介して躯体に取り付けられる。特に、取付部材がモジュールに対応させた間隔を持って配置されるため、定規金物は、複数の取付部材にわたって取り付けることが可能な長さを有する長尺状の部材であることが好ましい。定規金物を長尺状の部材として構成することで、該定規金物に増設外壁パネルを取り付けたとき、該増設外壁パネルの蛇行を防止することが可能となる。
【００４１】
移動規制部材は、定規金物の案内片と共に定規金物に取り付けた増設外壁パネルの面外方向への移動を規制する機能を有するものである。このため、前記機能を発揮し得るものであれば良く、形状や寸法を限定するものではない。特に、移動規制部材は、定規金物に於ける案内片の形状や該案内片に対する増設外壁パネルの当接状態等の条件に応じて最適な形状を適宜設定することが好ましい。例えば、案内片がフラットバー状に構成されているような場合、移動規制部材はフラットバーの厚さに対応させてＺ字状に屈折させた部材として、増設外壁パネル裏面から突出させたボルト等で増設外壁パネルに取り付け、移動規制部材と増設外壁パネルとで案内片を挟持するように構成することが可能である。また、他の移動規制部材の形態としては、増設外壁パネルの厚さに対応ささせてＺ字状に屈折させた部材として、案内片に当接した増設外壁パネルの端縁を案内片と移動規制部材とで挟持するように構成することも可能である。
【００４２】
次に、本発明の増設部構造の実施例を説明するのに先立って、ロッジアに於ける部屋の増築例について図を用いて簡単に説明する。図１は部屋を増築するロッジアを説明する斜視図である。図２はロッジアに対する増築部分の配置図と床梁伏図、床パネル伏図、屋根梁伏図である。
【００４３】
図に示すように、建物の２階部分にベランダ１が設けられており、ベランダ１と該ベランダ１の上部の一部に設けた屋根２とによってロッジア３が構成されている。ベランダ１の外周部分にはパラペット４と手摺５が設けられ、屋根２の外周部分には垂れ壁６が設けられている。
【００４４】
図２（ｄ）に示すように、２階部分の床にはせいの高い梁７ａとせいの低い梁７ｂが直交方向に配置されている。これらの梁７ａ、７ｂは夫々Ｈ形鋼によって構成されており、上下フランジのモジュール位置には後述するようなボルト穴が形成されている。また同図（ｅ）に示すように、梁７ａ、７ｂの上部には既存床を構成する複数の床パネル８が配置されて取り付けられている。更に同図（ｆ）に示すように、屋根２には屋根を構成する梁９が配置されている。
【００４５】
梁７ａと７ｂは下フランジの高さが一致するように設定されており、室内（居室部分）の床パネルは梁７ａの上フランジ面で支持され、室外（ベランダ１やロッジア３）の床パネルは梁７ｂの上フランジ面もしくは梁７ａのウェブに取り付けられた床受け部材（床パネルの支持面の高さが梁７ｂの上フランジ面と一致している）で支持される。
【００４６】
増築部１０はロッジア３の一部に配置されている。この増築部分１は、増設ライン１１（１１ａ、１１ｂ、１１ｃ）によって規定されている。即ち、増設ライン１１ａは図２（ａ）の上端側に於ける居室部分から屋根２の端部までの間に設定されており、増設ライン１１ｂは屋根２の右端側に沿って設定され、更に、増設ライン１１ｃは屋根２の右端側の所定位置（建物に設定されたモジュールに従った位置）から居室部分側に向けて設定されている。
【００４７】
従って、増設ライン１１ａでは、下側に既存のパラペット４が、上側に既存の垂れ壁５が夫々存在している。また増設ライン１１ｂでは、下側には既存の構造物は床パネル８以外には存在せず、上側には既存の垂れ壁６が存在している。また増設ライン１１ｃでは、下側には床パネル８以外の既存の構造物は存在せず、上側には屋根２の天井以外に既存の構造物は存在しない。このように、増設ライン１１ａ〜１１ｃは夫々異なる構造の外壁を構成することが必要となる。
【００４８】
また増設ライン１１ａ、１１ｂは梁７ａに沿って設定されているものの、増設ライン１１ｃは梁７ａ、７ｂと交叉する方向に設定されている。このため、増設ライン１１ｃは建物のモジュールに従った位置に設定されており、各梁７ａ、７ｂのフランジには増設ライン１１ｃに沿った位置に夫々ボルト穴が形成されている。
【００４９】
図２（ｅ）に示すように、増設ライン１１ａ〜１１ｃに対応する梁７ａ、７ｂに取り付けられた床パネル８に於けるモジュールに従った位置には、取付部材を配置するための穴１２が形成されている。
【００５０】
このように、穴１２は設定された増設ライン１１ａ〜１１ｃに沿って点在する。このため、増設ライン１１ａ〜１１ｃに一致して梁７ａ、７ｂが配置されていなくとも、穴１２の設定位置が梁７ａ、７ｂの上部に存在すれば良い。従って、増築に伴う増設外壁を設定する際の自由度を向上させることが可能となる。
【００５１】
穴１２の位置がモジュールに従って設定されるため、床パネル８に於ける設定された位置にホールソー等の器具を利用して穴を形成することで、梁７ａ、７ｂに形成されているボルト穴を穴１２を通して露出させることが可能である。そして、穴１２毎に取付部材を配置すると共に梁７ａ、７ｂのボルト穴を利用して取り付けることが可能である。
【００５２】
既存の穴１２に対し、梁と増設ラインの位置関係に影響を受けずに常に同一の取付部材で対応し得るようにするために、梁の直交するモジュール線の交点を軸として取付部材を９０度、１８０度、２７０度と回転させても取付部材の固定用ボルト穴の位置と穴１２の位置が一致するように取付部材を設計するのが好ましい。
【実施例１】
【００５３】
次に増設部構造の実施例について図を用いて説明する。図３は床を支持する梁に片持ち状に取り付けた取付部材と定規金物とによって構成した増設外壁パネルの下端部構造と、屋根を支持する梁に片持ち状に取り付けた取付部材と定規金物とによって構成した増設外壁パネルの上端部構造とを説明する図である。図４は図３に示す増設部構造を構成する手順を説明する図である。
【００５４】
図３、４には、増設外壁パネルの下端部に対応した増設部構造Ａ（請求項２に対応する）と、増設外壁パネルの上端部に対応した増設部構造Ｂ（請求項４に対応する）とが示されている。これらの増設部構造Ａ、Ｂは上下に対向する位置に構成されるものの、互いに独立した構造を持って構成されている。
【００５５】
先ず、増設部構造Ａの構成について図３により説明する。増設部構造Ａは、前述した増築部１０に於ける増設ライン１１ｂの下部構造となるものであり、ベランダ１の床パネル８の上面に増設外壁パネルの下端部を対向させて設置するような場合に採用されるものである。図に示すように、床パネル８を支持する床梁２０の上フランジ２０ａにはモジュールに対応する位置毎ににボルト穴２０ｂが形成されている。
【００５６】
増設部構造Ａに於いて、取付部材２１は、床梁２０の上フランジ２０ａに起立して取り付けられる片持ち部材として構成されており、下端部に配置された上フランジ２０ａに対する固定片２１ａと、上端部に配置された定規金物２２を取り付ける取付片２１ｂと、固定片２１ａと取付片２１ｂを接続する接続片２１ｃと、によって構成されている。
【００５７】
固定片２１ａの下端面と取付片２１ｂの上端面との距離（取付部材２１の高さ）は、水勾配を有する床パネル８を含むベランダ１の最も厚い部分の厚さよりも大きい寸法を持って設定されており、床梁２０の上フランジ２０ａに取り付けたとき、取付片２１ｂの上端面がベランダ１の表面である既存床の上面よりも高くなるように構成されている。
【００５８】
取付部材２１の取付片２１ｂには大小の穴が形成されている。これらの穴のうち、小さい穴は取付片２１ｂに定規金物２２をボルトで取り付ける際に利用するボルト穴であり、大きい穴は取付部材２１を床梁２０に固定する際に工具を挿通するのに利用する穴である。
【００５９】
取付部材２１は床梁２０の上フランジ２０ａに形成された複数のボルト穴２０ｂの中から予め選択されたボルト穴２０ｂに取り付けられる。このため、取付部材２１の間隔はモジュールの整数倍の寸法となる。
【００６０】
定規金物２２は、上面側がＬ字型に形成されており、前端側に起立して形成された増設外壁パネルの面外方向への移動を規制し且つ面内方向への摺動を案内する案内片２２ａと、案内片２２ａに対し略直角に形成され増設外壁パネルの下端面を載置する載置片２２ｂと、を有する長尺状の部材として構成されている。載置片２２ｂにはモジュールに対応する位置にボルト穴２２ｃが形成されている。また定規金物２２の載置片２２ｂの下面には補強片２２ｄが突出形成されており、該補強片２２ｄによって曲げ剛性を高めることが可能である。
【００６１】
上記定規金物２２は、載置片２２ｂが床梁２０に取り付けた複数の取付部材２１を掛け渡すように配置され、該載置片２２ｂに形成したボルト穴２２ｃを利用して取付片２１ｂに取り付けられている。
【００６２】
定規金物２２と共に増設外壁パネルの面外方向への移動を規制し、且つ面内方向への移動を許容する移動制限部材となる拘束部材２３は、増設外壁パネルの裏面と当接して面外方向への移動を規制する規制片２３ａと、定規金物２２に形成されたボルト穴２２ｃを利用して該定規金物２２に固定される固定片２３ｂと、からなるＬ字型に形成されている。
【００６３】
従って、定規金物２２の載置片２２ｂに増設外壁パネルの下端面を載置して表面を案内片２２ａに当接させると共に、載置片２２ｂに拘束部材２３を載置して規制片２３ａを増設外壁パネルの裏面に当接させて固定することで、増設外壁パネルの表裏両面を案内片２２ａと規制片２３ａとによって挟み込むことが可能となり、該増設外壁パネルの面外方向への移動を規制し、且つ面内方向への移動を許容することが可能となる。
【００６４】
なお、増設ライン１１ｃの下部構造は、床梁２０の梁背とその配置が図３とは異なるが、その他の構成は前述した増設ライン１１ｂと同じである。
【００６５】
次に、上記増設部構造Ａを構成する手順について図４により説明する。尚、図４に示す増設部構造Ａでは定規金物はＴ字型に形成されたＴ形鋼を利用しており、移動制限部材はＺ字型に形成された拘束部材を利用している。即ち、定規金物２５は、一片の略中央から起立した片からなる案内片２５ａと、案内片２５ａの一方側に略直角状に形成されている載置片２５ｂと、案内片２５ａの他方側に略直角状に形成されている取付片２５ｃとを有して構成されている。また拘束部材２６は、フラットバーを案内片２５ａの厚さに対応させてＺ字型に屈折して構成され、一方の片に増設外壁パネルを連結するためのボルト穴２６ａが形成されている。
【００６６】
先ず、図４（ａ）に示すように、床梁２０（図２に於ける梁７ａ）の上部に構成されている既存床に穴１２を形成し、夫々の穴１２を通して床梁２０の上フランジ２０ａに取付部材２１を取り付ける。その後、同図（ｂ）に示すように、複数の取付部材２１に定規金物２５を掛け渡して取り付ける。更に、同図（ｄ）に示すように、増設外壁パネル２８を対向させ、同図（ｅ）に示すように、定規パネル２５の載置片２５ｂに載置する。
【００６７】
増設外壁パネル２８に設けた棒鋼２９に図示しないＯボルトのリング部を係合させてネジ部を裏面側に突出させ、このネジ部を拘束部材２６の穴２６ａに挿通してナットを締結する。そして拘束部材２６の片を定規金物２５の案内片２５ａに係合させてナットを締め付けることで、増設外壁パネル２８を案内片２５ａに当接させて面外方向への移動を規制し、且つ面内方向への移動を許容することが可能である。
【００６８】
次に、増設部構造Ｂの構成について図３により説明する。増設部構造Ｂは、垂れ壁を構成する既存外壁パネルの下端面に、増設外壁パネルを連続させて取り付けるような構造に利用されるものであり、例えば増築部１０に於ける増設ライン１１ａ、１１ｂの上部構造となるものである。
【００６９】
例えば図１に示すように、屋根２がベランダ１の居室に沿った方向の全幅にわたって構成されたものではなく、ベランダ１の既存床がＬ字型に暴露されるような屋根を構成した場合、前述した増設部構造Ａの上部構造として、或いは独立した増設部構造として利用することが可能である。
【００７０】
図に示すように、屋根２を支持する屋根梁３０の下フランジ３０ａにはモジュールに対応する位置毎ににボルト穴３０ｂが形成されている。また屋根梁３０の下フランジ３０ｂには上部に配置された既存外壁パネルを支持する支持部材３０ｃが取り付けられている。
【００７１】
屋根梁３０の下方には天井下地材を下地としてビス等で天井材が貼着されており、この天井材は一般に外装に適した薄肉の不燃板等で構成されている。増築部１０はロッジア３から部屋として機能を変更するため、ロッジアの天井材は全て撤去し、内装材に適したものに変更するのが一般的である。従って、増築部１０に対応する天井材は撤去され、該増築部１０に配置されている屋根梁３０は露出しているものとする。
【００７２】
増設部構造Ｂに於いて、取付部材３１は、屋根梁３０の下フランジ３０ａに起立して取り付けられる片持ち部材として構成されており、上端に配置された下フランジ３０ａに対する固定片３１ａと、固定片３１ａから略直角に屈折して垂下形成され定規金物３３を取り付ける取付片３１ｂと、からなるＬ字型に形成されたピース状の部材と、取付片３１ｂと定規金物３３を接続する接続片３１ｃと、によって構成されている。
【００７３】
増設部構造Ｂの増築部１０に於ける角部に対応する部分では、屋根梁３０が交叉する部位に繋ぎ金物３４が配置されており、該繋ぎ金物３４の下端面に角部用取付部材３２が配置されている。この角部用取付部材３２は、上端面に繋ぎ金物３４の下面に取り付けられる固定片３２ａと、固定片３２ａから略直角に屈折して垂下形成された取付片３２ｂと、を有する柱状の部材と、取付片３２ｂと定規金物３３を接続する接続片と、によって構成されている。前記接続片は、接続片３１ｃと同一の部材として構成されている。
【００７４】
取付部材３１、３２に於ける取付片３１ｂ、３２ｂの長さは、既存外壁パネルの下端部よりも下方となるような寸法を有している。即ち、屋根梁３０に取り付けた支持部材３０ｃの長さよりも充分に大きい寸法を有している。
【００７５】
定規金物３３は、前端面が増設外壁パネルの面外方向への移動を規制し且つ面内方向への摺動を案内する案内片３３ａを有する長尺状の部材として構成されている。定規金物３３は、複数の取付部材３１、３２に掛け渡されて配置され、接続片３１ｃを利用して取り付けられている。
【００７６】
定規金物３３と共に増設外壁パネルの面外方向への移動を規制し、且つ面内方向への移動を許容する移動制限部材となる拘束部材３５は、図４に示すように、フラットバーを案内片３３ａの厚さに対応させてＺ字型に屈折して構成され、一方の片に増設外壁パネルを連結するためのボルト穴３５ａが形成されている。
【００７７】
次に、上記増設部構造Ｂを構成する手順について図４により説明する。尚、図４は図３に示す増築部１０の角部の構造ではなく、直線部の構造を示している。このため、定規金物３３は複数の取付部材３１によって屋根梁３０に取り付けられているが、図３の構造と比較して特別な違いはない。
【００７８】
先ず、図４（ｃ）に示すように、定規金物３３に二つの取付部材３１を取り付けておき、同図（ｄ）に示すように、これらの取付部材３１を屋根梁３０の下フランジ３１に設けたボルト穴３１ｂに取り付ける。このとき、定規金物３３は、屋根梁３０に取り付けられている既存外壁パネル２７の下端面よりも下方に突出して配置される。
【００７９】
同図（ｅ）に示すように、増設外壁パネル２８の上端面が既存外壁パネル２７の下端面と連続して配置されたとき、定規金物３３の案内片３３ａが増設外壁パネル２８の裏面と当接する。そして、増設外壁パネル２８に設けた棒鋼２９に図示しないＯボルトのリング部を係合させてネジ部を裏面側に突出させ、このネジ部を拘束部材３５の穴３５ａに挿通してナットを締結し、該拘束部材３５の片を定規金物３３の案内片３３ａに係合させてナットを締め付けることで、増設外壁パネル２８を案内片３３ａに当接させて面外方向への移動を規制し、且つ面内方向への移動を許容することが可能である。
【実施例２】
【００８０】
次に増設部構造の実施例について図を用いて説明する。図５は下端部を床を支持する梁に取り付けると共に上端部を屋根を支持する梁に両端支持柱状に取り付けた取付部材と定規金物とによって構成した増設部構造とを説明する図である。図６は図５に示す増設部構造を構成する手順を説明する図である。尚、図に於いて、前述の第１実施例と同一の部分或いは同一の機能を有する部分には同一の符号を付して説明を省略する。
【００８１】
図５には、両端支持柱状の取付部材によって、既存外壁パネルの上端部に連続させて増設外壁パネルを配置する際の増設部構造Ｃ（請求項３に対応する）と既存外壁パネルの下端部に連続させて増設外壁パネルを配置する際の増設部構造Ｄ（請求項５に対応する）を一体化させた構造が示されている。
【００８２】
床梁２０の上フランジ２０ａ及び屋根梁３０の下フランジ３０ａには、取付部材４１を構成し、固定片４１ａと取付片４１ｂからなるＬ字状のピース部材４１ｄが配置されている。このピース部材４１ｄは前述した増設部構造Ｂに於ける屋根梁３０の下フランジ３０ａに取り付けたピース状の部材と同一の部材として構成されている。
【００８３】
また、床梁２０の交叉部には屋根梁３０の交叉部と同一の繋ぎ金物３４が配置されており、この繋ぎ部材３４にも、取付部材４１を構成し、固定片４２ａと取付片４２ｂからなるピース部材４２ｄが配置されている。このピース部材４２ｄは前述した増設部構造Ｂに於ける屋根梁３０の交叉部に配置された繋ぎ部材３４に取り付けたピース状の部材と同一の部材として構成されている。
【００８４】
各ピース部材４１ｄ、４２ｄは夫々床梁２０、屋根梁３０の対向する位置に配置され、夫々上フランジ２０ａ、下フランジ３０ａに取り付けられている。そして上下のピース部材４１ｄ、４２ｄを結んで接続片４１ｃが配置されると共に両端部が対応するピース部材４１ｄ、４２ｄに取り付けられることで、夫々の取付部材４１は両端支持部材として構成される。
【００８５】
複数の取付部材４１に定規金物４４、４５が掛け渡され、取付金物４１を構成する接続片４１ｃに取り付けられている。定規金物４４はパラペット４を構成する既存外壁パネル２７の上端面と対向して配置されて増設外壁パネル２８の下端部を支持するものであり、定規金物４５は垂れ壁６を構成する既存外壁パネル２７の下端面と対向して配置されて増設外壁パネル２８の上端部分を支持するものである。
【００８６】
定規金物４４は、増設外壁パネルの面外方向への移動を規制し且つ面内方向への移動を許容する案内片４４ａと、増設外壁パネルの下端面を載置する載置片４４ｂと、を有する長尺状の部材として構成されており、取付部材４１を構成する接続片４１ｃの側面であって、パラペット４を構成する既存外壁パネル２７の上端面の高さに対応した位置に取り付けられている。
【００８７】
上記の如く構成された取付部材４１と定規金物４４では、パラペット４を構成する既存外壁パネル２７の上端面に縦方向に増設外壁パネルを連続させた増設部構造Ｃを構成することが可能である。
【００８８】
定規金物４５は、増設外壁パネルの面外方向への移動を規制し且つ面内方向への移動を許容する案内片４５ａを有する長尺状の部材として構成されており、取付部材４１を構成する接続片４１ｃの側面であって、垂れ壁６を構成する既存外壁パネル２７の下端面の高さに対応した位置に取り付けられている。
【００８９】
上記の如く構成された取付部材４１と定規金物４５では、垂れ壁６を構成する既存外壁パネル２７の下端面に縦方向に増設外壁パネルを連続させた増設部構造Ｄを構成することが可能である。
【００９０】
定規金物４４、４５と共に増設外壁パネルの面外方向への移動を規制し、且つ面内方向への移動を許容する移動規制部材となる拘束部材４６は、各定規金物４４、４５の案内片４４ａ、４５ａの厚さに対応して屈折したＺ字状に形成されている。
【００９１】
尚、床梁２０の上フランジ２０ａ、屋根梁３０の下フランジ３０ａには、夫々パラペット４を構成する既存外壁パネル、垂れ壁６を構成する既存外壁パネルを支持するための金物（既存外壁パネルの面外方向への移動を規制し且つ面内方向への移動を案内する案内片と既存外壁パネルを載置する載置片を有する金物）が取り付けられている。
【００９２】
次に増設部構造Ｃ、Ｄを構成する手順について図６により説明する。先ず、同図（ａ）に示すように、パラペット４を構成する既存外壁パネル２７の上端部分に構成されている笠木２７ａ、垂れ壁６を構成する既存外壁パネル２７の下端部分に構成されている笠木２７ａ、パラペット４と並行して設置されている手摺５の一部を撤去し、床パネル８に於けるモジュールに対応する位置に穴を形成して上フランジ２０ａに形成されたボルト穴２０ｂを露出させる。同様に天井を撤去して屋根梁３０の下フランジ３０ａに形成されたボルト穴３０ｂを露出させる（同図（ｂ））。
【００９３】
次に、同図（ｃ）に示すように、複数の取付部材４１に掛け渡して定規金物４４、４５を取り付け、更に、同図（ｄ）に示すように、複数の取付部材４１を夫々、下端部を床梁２０に、上端部を屋根梁３０に取り付ける。このとき、定規金物４４の載置片４４ｂはパラペット４を構成する既存外壁パネル２７の上端面の上部に位置し、定規金物４５は垂れ壁６を構成する既存外壁パネル２７の下端面よりも下方に位置する。
【００９４】
次に、同図（ｅ）に示すように、定規金物４４の載置片４４ｂと垂れ壁６を構成する既存外壁パネル２７の下端面までの寸法を持った増設外壁パネル２８を、定規金物４４、４５の間に対向させ、同図（ｆ）に示すように、下端面を載置片４４ｂに載置し、増設外壁パネル２８の上下に設けた棒鋼２９に図示しないＯボルトのリング部を係合させてネジ部を裏面側に突出させ、このネジ部を拘束部材４６の穴４６ａに挿通してナットを締結し、該拘束部材４６の片を定規金物４４の案内片４４ａ、及び定規金物４５の案内片４４ａに係合させてナットを締め付けることで、増設外壁パネル２８を各案内片４４ａ、４５ａに当接させて面外方向への移動を規制し、且つ面内方向への移動を許容することが可能である。
【産業上の利用可能性】
【００９５】
本発明の増設部構造は、ロッジア３や下屋のみならず、ベランダ１に於ける屋根２の構成されていない部位に増築するような場合にも利用することが可能であり、鉄骨造建物のリフォームの際に有効に利用することが可能である。
【図面の簡単な説明】
【００９６】
【図１】部屋を増築するロッジアを説明す斜視図である。
【図２】ロッジアに対する増築部分の配置図と床梁伏図、床パネル伏図、屋根梁伏図である。
【図３】床を支持する梁に片持ち状に取り付けた取付部材と定規金物とによって構成した増設外壁パネルの下端部構造と、屋根を支持する梁に片持ち状に取り付けた取付部材と定規金物とによって構成した増設外壁パネルの上端部構造とを説明する図である。
【図４】図３に示す増設部構造を構成する手順を説明する図である。
【図５】下端部を床を支持する梁に取り付けると共に上端部を屋根を支持する梁に両端支持柱状に取り付けた取付部材と定規金物とによって構成した増設部構造とを説明する図である。
【図６】図５に示す増設部構造を構成する手順を説明する図である。
【符号の説明】
【００９７】
Ａ〜Ｄ                  増設部構造
１                      ベランダ
２                      屋根
３                      ロッジア
４                      パラペット
５                      手摺
６                      垂れ壁
７ａ、７ｂ              梁
８                      床パネル
９                      梁
１０                    増築部
１１（１１ａ〜１１ｃ）  増設ライン
１２                    穴
２０                    床梁
２０ａ                  上フランジ
２０ｂ                  ボルト穴
２１                    取付部材
２１ａ                  固定片
２１ｂ                  取付片
２１ｃ                  接続片
２２                    定規金物
２２ａ                  案内片
２２ｂ                  載置片
２２ｃ                  ボルト穴
２２ｄ                  補強片
２３                    拘束部材
２３ａ                  規制片
２３ｂ                  固定片
２５                    定規金物
２５ａ                  案内片
２５ｂ                  載置片
２５ｃ                  取付片
２６                    拘束部材
２６ａ                  ボルト穴
２７                    既存外壁パネル
２８                    増設外壁パネル
２９                    棒鋼
３０                    屋根梁
３０ａ                  下フランジ
３０ｂ                  ボルト穴
３０ｃ                  支持部材
３１、３２              取付部材
３１ａ、３２ａ          固定片
３１ｂ、３２ｂ          取付片
３１ｃ                  接続片
３３                    定規金物
３３ａ                  案内片
３４                    繋ぎ金物
３５                    拘束部材
３５ａ                  ボルト穴
４１                    取付部材
４１ａ、４２ａ          固定片
４１ｂ、４２ｂ          取付片
４１ｃ                  接続片
４１ｄ、４２ｄ          ピース部材
４４、４５              定規金物
４４ａ、４５ａ          案内片
４４ｂ                  載置片
【図１】
0004592624.tif 000002
【図２】
0004592624.tif 000003
【図３】
0004592624.tif 000004
【図４】
0004592624.tif 000005
【図５】
0004592624.tif 000006
【図６】
0004592624.tif 000007